(57)【要約】      （修正有）【課題】  両面発光装置が外部から衝撃を受けても両面発光装置からサブパネルが脱落することを防止することができる両面発光装置を提供すること。【解決手段】大きい画像表示パネル１０の底面１０ａと同等の大きさを有する底板２ａと、両面に光学フィルム５、６、７、８が積層されている導光板４の外周を保持する第１の保持部２ｃと大きい画像表示パネル１０の外周を保持する第２の保持部２ｄとを底板２ａから順に有しながら底板２ａの周囲に起立している側壁２ｂと、小さい画像表示パネル１１を大きい画像表示パネル１０と平行に収納する大きさを有して底板２ａの一部分から側壁２ｂの起立方向と反対方向へ突出しているとともに、突出したその底部２ｆに小さい画像表示パネル１１の表示領域１１ａと同等の大きさを有する表示窓２ｇを有している略器状の突器部２ｅとを有するフレーム２を備えている。【選択図】      図１
2007034142.tif 000002
【特許請求の範囲】
【請求項１】
大小２つの画像表示パネルのうちの大きい画像表示パネルの底面と同等の大きさを有する底板と、
両面に光学フィルムが積層されている導光板の外周を保持する第１の保持部と前記大きい画像表示パネルの外周を保持する第２の保持部とを前記底板から順に有しながら前記底板の周囲に起立している側壁と、
前記大小２つの画像表示パネルのうちの小さい画像表示パネルを前記大きい画像表示パネルと平行に収納する大きさを有して前記底板の一部分から前記側壁の起立方向と反対方向へ突出しているとともに、突出したその底部に前記小さい画像表示パネルの表示領域と同等の大きさを有する表示窓を有している略器状の突器部と
を有するフレームを備えていることを特徴とする両面発光装置。
【請求項２】
前記突器部の底部は、前記小さい画像表示パネルを固着する接着部材を有している請求項１に記載の両面発光装置。
【請求項３】
前記第１の保持部は、前記第１の保持部に保持された前記導光板が前記底板と当接する位置に形成されている請求項１または請求項２に記載の両面発光装置。
【請求項４】
前記突器部の底部は、前記底板よりも薄く形成されている請求項１から請求項３のいずれか１項に記載の両面発光装置。
【発明の詳細な説明】
【技術分野】
【０００１】
本発明は、両面発光装置に係り、大きさの異なる大小２つの液晶ディスプレイの間に配設される照明装置として好適に用いられる両面発光装置に関する。
【背景技術】
【０００２】
昨今の折り畳み式携帯電話機においては、大きさの異なる大小２つの液晶ディスプレイを折り畳み式携帯電話機の一片の表裏に有しているものが多く提案されている。これら大小２つの液晶ディスプレイは、折り畳み式携帯電話機の薄型化のため、バックライトなどの面状照明装置を厚さ方向に対して両面から発光させるように形成した照明装置（以下、「両面発光装置」という。）を共有している。
【０００３】
従来の両面発光装置１０１は、その一例として、図３および図４に示すように、フレーム１０２、導光板１０４、光学フィルム１０５〜１０８、発光素子１０９などを有している。また、フレーム１０２は、底板１０２ａおよび大小２つの壁部１０２ｂ、１０２ｃを有している。
【０００４】
フレーム１０２の底板１０２ａは、大小２つの画像表示パネルのうちの大きい画像表示パネル（以下、「メインパネル」という。）１１０の底面１１０ａと同等の大きさを有して形成されているとともに、底板１０２ａの一部分に、小さい画像表示パネル（以下、「サブパネル」という。）１１１に光を照射する領域１１１ａと同等の大きさに形成された照射窓１０２ｆ有している。
【０００５】
大小２つの壁部１０２ｂ、１０２ｃのうちの大きい壁部（以下、「第１の壁部」という。）１０２ｂは、両面に光学フィルムが積層された導光板の外周を保持する第１の保持部１０２ｄとメインパネルの外周を保持する第２の保持部１０２ｅとを底板１０２ａから順に有しながら底板１０２ａの周囲に起立するように形成されている。また、小さい壁部（以下、「第２の壁部」という。）１０２ｃは、底板１０２ａの一部分から第１の壁部１０２ｂの反対方向に起立されているとともに、両面発光装置１０１に配設されるサブパネル１１１の表示領域１１１ａと底板１０２ａの照射窓１０２ｆとを重ね合わせた際にサブパネル１１１の外周を取り囲むように形成されている。
【０００６】
導光板１０４は、均一の厚さを有する略矩形状に形成されており、フレーム１０２の厚さ方向に対する両面に、プリズムシートや拡散シートなどの光学部材１０５、１０６、１０７、１０８を有している。また、導光板１０４の側方には、発光ダイオードなどの発光素子１０９が配設されている。
【０００７】
前述したこれらの部材は、図３および図４に示すように、第１の壁部１０２ｂの起立方向に対して、フレーム１０２の底板１０２ａ、導光板１０４、メインパネル１１０の順に積層されている。また、第２の壁部１０２ｃの起立方向に対して、フレーム１０２の底板１０２ａ、サブパネル１１１の順に積層されている。
【０００８】
そして、図４に示すように、両面発光装置１０１の各部材およびメインパネル１１０並びにサブパネル１１１は、フレーム１０２の厚さ方向（図４の上下方向）に対して相互に重なっている部分であってメインパネル１１０並びにサブパネル１１１の表示領域でない領域（非表示領域）に接着部材１０３を有しており、両面発光装置の各部材（１０２、１０４など）およびメインパネル１１０並びにサブパネル１１１を相互に固着している（特許文献１を参照）。
【０００９】
【特許文献１】特開２００４−２１９９８５号公報
【発明の開示】
【発明が解決しようとする課題】
【００１０】
しかしながら、図４に示すように、サブパネル１１１はフレーム１０２の照射窓１０２ｆの外周および第２の壁部１０２ｃの内周に囲まれた僅かな面積の照射窓の周縁部に配設された接着部材１０３のみによって固着されているので、サブパネル１１１と両面発光装置１０１とを固着する固着力が弱く、外部から受けた衝撃によって両面発光装置１０１からサブパネル１１１が簡単に脱落してしまうおそれがあるという問題があった。
【００１１】
そこで、本発明はこれらの点に鑑みてなされたものであり、両面発光装置が外部から衝撃を受けても両面発光装置からサブパネルが脱落することを防止することが可能となる両面発光装置を提供することを本発明の目的としている。
【課題を解決するための手段】
【００１２】
前述した目的を達成するため、本発明の両面発光装置の第１の態様は、大小２つの画像表示パネルのうちの大きい画像表示パネルの底面と同等の大きさを有する底板と、両面に光学フィルムが積層されている導光板の外周を保持する第１の保持部と大きい画像表示パネルの外周を保持する第２の保持部とを底板から順に有しながら底板の周囲に起立している側壁と、大小２つの画像表示パネルのうちの小さい画像表示パネルを大きい画像表示パネルと平行に収納する大きさを有して底板の一部分から側壁の起立方向と反対方向へ突出しているとともに、突出したその底部に小さい画像表示パネルの表示領域と同等の大きさを有する表示窓を有している略器状の突器部とを有するフレームを備えていることを特徴としている。
【００１３】
本発明の第１の態様によって、両面発光装置に配設される小さい画像表示パネルを突器部の底部と両面発光装置に配設される導光板との間に配設することができるので、小さい画像表示パネルが両面発光装置から脱落することを防止することができる。
【００１４】
本発明の第２の態様は、第１の態様の両面発光装置において、突器部の底部が小さい画像表示パネルを固着する接着部材を有していることを特徴としている。
【００１５】
本発明の第２の態様によって、小さい画像表示パネルを突器部の所定の位置に固着することができる。
【００１６】
本発明の第３の態様は、第１または第２の態様の両面発光装置において、第１の保持部が第１の保持部に保持された導光板が底板と当接する位置に形成されていることを特徴としている。
【００１７】
本発明の第３の態様によって、両面発光装置に配設される小さい画像表示パネルを突器部の底部と両面発光装置に配設される導光板との間に狭持することができる。
【００１８】
本発明の第４の態様は、第１から第３のいずれか１の態様の両面発光装置において、突器部の底部が底板よりも薄く形成されていることを特徴としている。
【００１９】
本発明の第４の態様によって、両面発光装置を薄型化することができる。
【発明の効果】
【００２０】
本発明の両面発光装置によって、小さい画像表示パネル（サブパネル）をフレーム内に嵌め込むことができるので、両面発光装置が外部から衝撃を受けても両面発光装置からサブパネルが脱落することを防止することができ、両面発光装置を有する画像表示装置の歩留まりが向上するという効果を奏する。
【発明を実施するための最良の形態】
【００２１】
以下、図１および図２を用いて、本発明の両面発光装置の一実施形態を説明する。ここで、図１は、本発明の両面発光装置の一実施形態を示している。また、図２は、図１のＡ−Ａ断面図を示している。
【００２２】
本実施形態の両面発光装置１は、図１および図２に示すように、フレーム２、導光板４、光学フィルム５〜８、発光素子９などを有している。また、フレーム２は、樹脂を用いて、底板２ａ、側壁２ｂおよび略器状の突器部２ｅを有して形成されている。
【００２３】
フレーム２の底板２ａは、携帯電話機などに使用される２つの液晶ディスプレイなどの大小２つの画像表示パネルのうちの大きい画像表示パネル（以下、「メインパネル」という。）１０の底面１０ａと同等の大きさを有して形成されている。
【００２４】
側壁２ｂは、両面に光学フィルム５、６、７、８が積層された略矩形状の導光板４の外周を保持する額縁状の第１の保持部２ｃと、略矩形状のメインパネル１０の外周を保持する額縁状の第２の保持部２ｄとを底板２ａから順に有しながら、底板２ａの周囲に起立するように形成されている。なお、第１の保持部２ｃは、第１の保持部２ｃに保持された導光板４が底板２ａと当接する位置に形成されていることが好ましい。
【００２５】
突器部２ｅは、大小２つの画像表示パネルのうちの小さい画像表示パネル（以下、「サブパネル」という。）１１をメインパネル１０と平行に収納する大きさの略器状に形成されており、底板２ａの一部分から側壁２ｂの起立方向と反対方向へ突出している。また、突器部２ｅは、突出したその底部２ｆに、サブパネル１１の表示領域１１ａと同等の大きさを有する表示窓２ｇを有しているとともに、突器部２ｅの底部２ｆにサブパネル１１を固着する接着部材３を有している。なお、突器部２ｅの底部２ｆは、薄型化のため、底板２ａよりも薄く形成されていることが好ましい。例えば、本実施形態においては、底板２ａの厚さが０．８ｍｍ程度であり、突器部２ｅの底部２ｆは０．３ｍｍ程度に形成されている。
【００２６】
導光板４は、図１および図２に示すように、アクリル系樹脂などを用いて均一の厚さを有する略矩形状に形成されており、フレーム２の厚さ方向に対する両面にプリズムシートや拡散シートなどの光学部材５、６、７、８を有している。また、導光板４の側方には、発光ダイオードなどの発光素子９が配設されている。
【００２７】
前述した部材は、図２に示すように、底板２ａから側壁２ｂの起立方向に対して、フレーム２の底板２ａ、導光板４（光学フィルム５〜８を含む）、メインパネル１０の順に積層されており、フレーム２の厚さ方向（図１および図２の上下方向）に対して相互に重なっている部分であってメインパネル１０の表示領域でない領域（非表示領域）に配設された接着部材３によって両面発光装置１の各部材およびメインパネル１０が相互に固着されている。また、突器部２ｅ内には、突器部２ｅの底部２ｆと第１の保持部２ｃに保持された導光板４とによってサブパネル１１が挟まれるようにして介装されているとともに、突器部２ｅの底部２ｆに配設された接着部材３によって突器部２ｅの底部２ｆとサブパネル１１が相互に固着されている。
【００２８】
次に、図１および図２を用いて、本実施形態の両面発光装置１の作用を説明する。
【００２９】
図２に示すように、本実施形態の両面発光装置１は、フレーム２の底板２ａに、サブパネル１１を収納する略器状の突器部２ｅを有している。また、側壁２ｂの第１の保持部２ｃに保持された導光板４がサブパネル１１を収納した突器部２ｅの蓋の役割を果たすように形成されている。これによって、外部から受けた衝撃によって両面発光装置１からサブパネル１１が脱落してしまうことを防止することができる。
【００３０】
また、フレーム２の突器部２ｅの底部２ｆに接着部材３が配設されるとともに、第１の保持部２ｃに保持された導光板４を光学フィルム５、６を介して底板２ａに当接する位置に第１の保持部２ｃが形成されていることによって、サブパネル１１と両面発光装置１とを固着する固着力を強くすることができるとともに、サブパネル１１を突器部２ｅの所定の位置に固着することができる。
【００３１】
すなわち、本実施形態の両面発光装置１によって、サブパネル（小さい画像表示パネル）１１をフレーム２内にある略器状の突器部２ｅに封入することができるので、両面発光装置１が外部から衝撃を受けても両面発光装置１からサブパネル１１が脱落することを防止することができ、両面発光装置１を有する画像表示装置の歩留まりが向上するという効果を奏する。
【００３２】
なお、本発明は、前述した実施形態などに限定されるものではなく、必要に応じて種々の変更が可能である。たとえば、この両面発光装置１は、黒色の遮光部を額縁状に有する遮光部材を有していないが、遮光部材が画像表示パネル側に配設されていない場合は、最上層にある光学フィルム８とメインパネル１０との間、および底板２ａとサブパネル１１との間に配設することが好ましい。また、両面発光装置１の輝度を揃えるために、底板２ａと底板２ａに近接する光学フィルムとの間に遮光部材を配設しても良い。
【図面の簡単な説明】
【００３３】
【図１】本発明の両面発光装置の一実施形態を示す分解斜視図
【図２】図１のＡ−Ａ断面図
【図３】従来の両面発光装置の一実施形態を示す分解斜視図
【図４】図３のＢ−Ｂ断面図
【符号の説明】
【００３４】
１  両面発光装置
２  フレーム
２ａ  底板
２ｂ  側壁
２ｃ  第１の保持部
２ｄ  第２の保持部
２ｅ  突器部
２ｆ  （突器部の）底部
２ｇ  表示窓
３  接着部材
４  導光板
５、６、７、８  光学部材
９  発光素子
１０  メインパネル（大小２つの画像表示パネルのうちの大きい画像表示パネル）
１１  サブパネル（大小２つの画像表示パネルのうちの小さい画像表示パネル）
【図１】
2007034142.tif 000003
【図２】
2007034142.tif 000004
【図３】
2007034142.tif 000005
【図４】
2007034142.tif 000006